【手続補正書】
【提出日】平成30年10月11日(2018.10.11)
【手続補正１】
【補正対象書類名】特許請求の範囲
【補正対象項目名】全文
【補正方法】変更
【補正の内容】
【特許請求の範囲】
【請求項１】
画像データを記録する記録処理を行う外部装置と直接接続または間接接続されたパラメータ記録制御装置であって、
前記画像データを入力する入力部と、
設定された画質調整パラメータを用いて、入力された前記画像データに画質調整処理を施す画質調整部と、
前記外部装置による前記画像データの記録処理の開始を検知する検知手段と、
前記外部装置による前記画像データの記録処理の開始が検知されたことに応じて、前記画質調整部に設定された画質調整パラメータを、前記外部装置により記録された前記画像データに対応する画質調整パラメータとして、記憶部に自動で記録する制御を行う記録制御手段と、
を有することを特徴とするパラメータ記録制御装置。
【請求項２】
記録制御手段は、前記外部装置による前記画像データの記録処理の実行中に、前記画質調整部に対する画質調整パラメータを変更するユーザ操作を検知した場合に、当該ユーザ操作に応じた変更後の画質調整パラメータを、前記外部装置により記録された前記画像データに対応する画質調整パラメータとして、前記記憶部に自動で記録する制御を行う
ことを特徴とする請求項１に記載のパラメータ記録制御装置。
【請求項３】
前記検知手段は、前記外部装置の動作状態を示す第１状態情報を取得して、前記外部装置による前記画像データの記録処理に関する検知を行う
ことを特徴とする請求項１または２に記載のパラメータ記録制御装置。
【請求項４】
前記検知手段は、前記外部装置への前記画像データの記録処理の開始指示を示す情報を取得して、前記外部装置による前記画像データの記録処理の開始を検知する
ことを特徴とする請求項１または２に記載のパラメータ記録制御装置。
【請求項５】
前記パラメータ記録制御装置は、前記画質調整部に対して画質調整パラメータを設定する設定手段をさらに有し、
前記検知手段は、前記外部装置による前記画像データの再生処理の開始をさらに検知し、
前記外部装置による前記画像データの再生処理の開始が検知された場合に、前記設定手段は、前記外部装置により再生された前記画像データに対応する画質調整パラメータとして、前記記憶部に記録された画質調整パラメータを、前記画質調整部に対して自動で設定する
ことを特徴とする請求項１〜４のいずれか１項に記載のパラメータ記録制御装置。
【請求項６】
前記検知手段は、前記外部装置の動作状態を示す第２状態情報を取得して、前記外部装置による前記画像データの再生処理に関する検知を行う
ことを特徴とする請求項５に記載のパラメータ記録制御装置。
【請求項７】
前記記録制御手段は、前記外部装置による前記画像データの再生処理の実行中に、前記画質調整部に対する画質調整パラメータを変更するユーザ操作を検知した場合に、当該ユーザ操作に応じた変更後の画質調整パラメータを、前記外部装置により再生された前記画像データに対応する画質調整パラメータとして、前記記憶部に自動で記録する制御を行うことを特徴とする請求項５または６に記載のパラメータ記録制御装置。
【請求項８】
前記再生処理は、前記記録処理によって記録された動画像データの各フレームを順番に再生する処理であり、
前記記録制御手段は、前記外部装置による再生処理の実行中の期間であり、且つ、再生対象のフレームを更新しない一時停止処理の実行中の期間以外の期間である、第１期間に行われた、前記画質調整部に対して設定されている画質調整パラメータを変更するユーザ操作、を検知した場合に、当該ユーザ操作に応じた変更後の画質調整パラメータを、再生対象の前記動画像データの全フレームに対応する画質調整パラメータとして、前記記憶部に自動で記録する制御を行う
ことを特徴とする請求項５〜７のいずれか１項に記載のパラメータ記録制御装置。
【請求項９】
前記再生処理は、前記記録処理によって記録された動画像データの各フレームを順番に再生する処理であり、
前記記録制御手段は、前記外部装置による再生処理の実行中の期間であり、且つ、再生対象のフレームを更新しない一時停止処理の実行中の期間である、第２期間に行われた、前記画質調整部に対して設定されている画質調整パラメータを変更するユーザ操作、を検知した場合に、前記記録制御手段は、当該ユーザ操作に応じた変更後の画質調整パラメータを、再生対象の前記動画像データの複数のフレームのうち、前記再生対象のフレーム以降のフレームに対応する画質調整パラメータとして、前記記憶部に自動で記録する制御を行う
ことを特徴とする請求項５〜８のいずれか１項に記載のパラメータ記録制御装置。
【請求項１０】
前記画像データは動画像データであって、
前記記録制御手段は、前記動画像データの一部のフレームに対応する画質調整パラメータを、当該一部のフレームを示す対応情報を関連付けて記録する制御を行う
ことを特徴とする請求項１〜９のいずれか１項に記載のパラメータ記録制御装置。
【請求項１１】
前記動画像データの一部のフレームを示す対応情報は、当該一部のフレームのタイムコードを含む
ことを特徴とする請求項１０に記載のパラメータ記録制御装置。
【請求項１２】
前記画像データは動画像データであって、
前記記録制御手段は、ユーザ操作に応じた変更後の画質調整パラメータを、前記外部装置により記録された前記動画像データの全フレームに対応する画質調整パラメータとして、前記記憶部に自動で記録する制御を行う
ことを特徴とする請求項１〜８のいずれか１項に記載のパラメータ記録制御装置。
【請求項１３】
前記記録制御手段は、前記画質調整パラメータを、当該画質調整パラメータに対応する前記画像データを示す対応情報を関連付けて記録する制御を行う
ことを特徴とする請求項１〜１２のいずれか１項に記載のパラメータ記録制御装置。
【請求項１４】
前記画像データを示す前記対応情報は、当該画像データのデータ名を含む
ことを特徴とする請求項１３に記載のパラメータ記録制御装置。
【請求項１５】
前記記録制御手段は、前記画質調整パラメータのデータファイルのファイル名とタグの少なくとも一方に、当該画質調整パラメータに対応する前記画像データを示す対応情報を記述する
ことを特徴とする請求項１３または１４に記載のパラメータ記録制御装置。
【請求項１６】
前記記録制御手段は、前記画質調整パラメータのデータファイルのファイル名とタグに、当該画質調整パラメータに対応する前記画像データを示す対応情報を分けて記述する
ことを特徴とする請求項１３または１４に記載のパラメータ記録制御装置。
【請求項１７】
前記パラメータ記録制御装置は、前記画質調整部により画質調整処理が施された前記画像データに基づく画像を表示する表示部を有する
ことを特徴とする請求項１〜１６のいずれか１項に記載のパラメータ記録制御装置。
【請求項１８】
画像データを記録する記録処理を行う外部装置と直接接続または間接接続された表示装置であって、
入力された画像データに基づく画像を表示する表示手段と、
前記画像データに画質調整パラメータを設定する設定手段と、
前記画質調整パラメータを用いて、前記画像データに画質調整処理を施す画質調整手段と、
前記外部装置による前記画像データの記録処理の開始が検知された場合に、前記画質調整パラメータを、前記外部装置により記録された前記画像データに対応する画質調整パラメータとして、記憶部に自動で記録する制御を行う記録制御手段と、
を有することを特徴とする表示装置。
【請求項１９】
前記記録制御手段は、
前記外部装置による前記画像データの再生処理の開始が検知された場合に、前記外部装置により再生された前記画像データに対応する画質調整パラメータとして、前記記憶部に記録された画質調整パラメータを、前記画像データに対して自動で設定し、
前記外部装置による前記画像データの再生処理の実行中に、前記画像データに対する画質調整パラメータを変更するユーザ操作が検知された場合に、当該ユーザ操作に応じた変更後の画質調整パラメータを、前記外部装置により再生された前記画像データに対応する画質調整パラメータとして、前記記憶部に自動で記録する制御を行う
ことを特徴とする請求項１８に記載の表示装置。
【請求項２０】
画像データを記録する記録処理を行う外部装置と直接接続または間接接続されたパラメータ記録制御装置の制御方法であって、
前記画像データを入力する入力ステップと、
設定された画質調整パラメータを用いて、入力された前記画像データに画質調整処理を施す画質調整ステップと、
前記外部装置による前記画像データの記録処理の開始を検知する検知ステップと、
前記外部装置による前記画像データの記録処理の開始が検知されたことに応じて、前記
画質調整部に設定された画質調整パラメータを、前記外部装置により記録された前記画像データに対応する画質調整パラメータとして、記憶部に自動で記録する制御を行う記録制御ステップと、
を有することを特徴とするパラメータ記録制御装置の制御方法。
【請求項２１】
請求項２０に記載のパラメータ記録制御装置の制御方法の各ステップをコンピュータに実行させるためのプログラム。
【手続補正２】
【補正対象書類名】明細書
【補正対象項目名】発明の名称
【補正方法】変更
【補正の内容】
【発明の名称】パラメータ記録制御装置、表示装置、パラメータ記録制御装置の制御方法、及び、プログラム
【手続補正３】
【補正対象書類名】明細書
【補正対象項目名】０００１
【補正方法】変更
【補正の内容】
【０００１】
本発明は、パラメータ記録制御装置、表示装置、パラメータ記録制御装置の制御方法、及び、プログラムに関する。
【手続補正４】
【補正対象書類名】明細書
【補正対象項目名】００１０
【補正方法】変更
【補正の内容】
【００１０】
本発明の第１の態様は、
画像データを記録する記録処理を行う外部装置と直接接続または間接接続されたパラメータ記録制御装置であって、
前記画像データを入力する入力部と、
設定された画質調整パラメータを用いて、入力された前記画像データに画質調整処理を施す画質調整部と、
前記外部装置による前記画像データの記録処理の開始を検知する検知手段と、
前記外部装置による前記画像データの記録処理の開始が検知されたことに応じて、前記画質調整部に設定された画質調整パラメータを、前記外部装置により記録された前記画像データに対応する画質調整パラメータとして、記憶部に自動で記録する制御を行う記録制御手段と、
を有することを特徴とするパラメータ記録制御装置である。
本発明の第２の態様は、
画像データを記録する記録処理を行う外部装置と直接接続または間接接続された表示装置であって、
入力された画像データに基づく画像を表示する表示手段と、
前記画像データに画質調整パラメータを設定する設定手段と、
前記画質調整パラメータを用いて、前記画像データに画質調整処理を施す画質調整手段と、
前記外部装置による前記画像データの記録処理の開始が検知された場合に、前記画質調整パラメータを、前記外部装置により記録された前記画像データに対応する画質調整パラメータとして、記憶部に自動で記録する制御を行う記録制御手段と、
を有することを特徴とする表示装置である。
【手続補正５】
【補正対象書類名】明細書
【補正対象項目名】００１１
【補正方法】変更
【補正の内容】
【００１１】
本発明の第３の態様は、
画像データを記録する記録処理を行う外部装置と直接接続または間接接続されたパラメータ記録制御装置の制御方法であって、
前記画像データを入力する入力ステップと、
設定された画質調整パラメータを用いて、入力された前記画像データに画質調整処理を施す画質調整ステップと、
前記外部装置による前記画像データの記録処理の開始を検知する検知ステップと、
前記外部装置による前記画像データの記録処理の開始が検知されたことに応じて、前記画質調整部に設定された画質調整パラメータを、前記外部装置により記録された前記画像データに対応する画質調整パラメータとして、記憶部に自動で記録する制御を行う記録制御ステップと、
を有することを特徴とするパラメータ記録制御装置の制御方法である。
【手続補正６】
【補正対象書類名】明細書
【補正対象項目名】００１２
【補正方法】変更
【補正の内容】
【００１２】
本発明の第４の態様は、上述したパラメータ記録制御装置の制御方法の各ステップをコンピュータに実行させることを特徴とするプログラムである。